(57)【要約】【課題】作業現場において、簡易にかつ高い安全性を備えつつ一定以上の作業水準で埋設配管の穴開け処理を行うことができる配管穴開け用治具及びその治具を用いた配管穴開け処理方法を提供する。【解決手段】本発明に係る配管穴開け用治具１は、円筒形状の配管Ｐの表面に穴開け処理を行うためのものであり、断面略コの字状の溝部１１を有する一対のアングル受け１０と、アングル受け１０の溝部１１にスライド嵌合させる板状のスライド部２１と、スライド部２１の板面から断面略Ｔ字状に立設された配管固定部２２とを有する一対のスライドアングル２０と、を備え、溝部１１が互いに向かい合うように重ね合させた一対のアングル受け１０に、その両端からそれぞれスライドアングル２０のスライド部２１をスライド嵌合させ、スライド嵌合により対面した一対の配管固定部２２により穴開け処理対象の配管Ｐを挟持固定する。【選択図】図１
2018173143.tif 000002
【特許請求の範囲】
【請求項１】
円筒形状の配管の表面に穴開け処理を行うための配管穴開け用治具であって、
断面略コの字状の溝部を有する一対のアングル受けと、
前記アングル受けの溝部にスライド嵌合させる板状のスライド部と、該スライド部の板面から断面略Ｔ字状に立設された配管固定部とを有する一対のスライドアングルと、
を備え、
前記溝部が互いに向かい合うように重ね合させた前記一対のアングル受けに、その両端からそれぞれ前記スライドアングルのスライド部をスライド嵌合させ、スライド嵌合により対面した一対の前記配管固定部により穴開け処理対象の配管を挟持固定する
配管穴開け用治具。
【請求項２】
前記アングル受けには、その略中央部の側面に、半円状の溝を有する凸状部が設けられており、
前記一対のアングル受けを向かい合うように重ね合せたときに前記半円状の溝により形成される貫通孔に、配管穴開け用の針が差し込まれる
請求項１に記載の配管穴開け用治具。
【請求項３】
前記スライドアングルのスライド部には、前記アングル受けに対するスライド方向に細長い貫通スリットが形成されている
請求項１又は２に記載の配管穴開け用治具。
【請求項４】
前記スライドアングルの配管固定部には、該スライドアングルのスライド方向に対して垂直な方向に沿って複数のネジ穴が形成されており、
前記ネジ穴は、前記一対のスライドアングルにより挟持固定される配管の外径に応じた高さ位置に形成されている
請求項１乃至３のいずれか１項に記載の配管穴開け用治具。
【請求項５】
請求項１乃至４のいずれかに記載の配管穴開け用治具を用いた配管に対する穴開け処理方法であって、
穴開け処理対象の配管の表面に、弾性を有するシートを貼り付け、
前記シートを貼り付けた配管を、前記配管穴開け用治具の一対の配管固定部により挟持して固定し、
前記配管穴開け用治具の上部より、前記シートを介して前記配管の表面を穿刺する
配管穴開け処理方法。
【発明の詳細な説明】
【技術分野】
【０００１】
本発明は、配管穴開け用治具に関するものであり、より詳しくは、基礎掘削や土間掘削等で掘削時に使途不明な埋設配管が発見された際に、その配管の生死を確認するために用いられる配管穴開け用治具、及びその治具を用いた配管穴開け処理方法に関する。
【背景技術】
【０００２】
掘削作業を行っているとき、記録として残されていない、または想定されていなかった埋設配管が発見される場合がある。発見された際に使途が特定できる配管であれば、配管の盛替え等の作業を行って移設する対応も可能あるが、使途が不明で特定できない配管については、使用されていない配管の可能性がある。
【０００３】
使用されていない配管である場合、その埋設配管の撤去等を検討しなければならないため、配管が使用されているかどうか、すなわち、配管の「生死」を確認する必要がある。ここで、配管の「生死」とは、配管内に流体等が残存している状態を「生」といい、配管内に何も存在していない空の状態を「死」という。
【０００４】
配管の生死を判断するには、通常その配管にビスや釘等の鋭利な工具で穴を開け、配管内に流体等が残存しているか確認する処理を行う。ところが、一般的に配管は、表面が弧状となっているため、滑りやすくビスや釘等の先端を安定的に固定できないため、不安定な穴開け作業しかできないという問題がある。また、不安定で、流体の吹き出し対策を施さない状態で穴開けを行うと、配管内部に残留する流体が予想以上に管外に吹き出し、作業者が暴露してしまうおそれもある。
【０００５】
作業現場において使途不明な埋設配管が発見されることは、突発的であることが多いため、埋設配管の穴開け作業は、その作業現場において、簡易かつ安全に、しかも安定して一定以上の水準で行う必要がある。
【０００６】
例えば、特許文献１には、配管内残水処理装置が開示されており、配管の裏側にスペースが無い状態であっても配管に対して容易に圧着固定することができる構造を有している。しかしながら、特許文献１に開示されている装置は、部品数が多く、またその構成部品の構造が複雑であるため、装置を製造するのに非常にコストが掛かる。さらに、持ち運びに非常に不便であり、簡易に脱着ができないため、作業現場において突発的な対応が必要な場合の使用には適していない。
【０００７】
撤去を前提とした使途不明な埋設配管の場合、可能な限り撤去作業のコストを抑えることが望ましく、専用工具等を使用することなく作業を行う作業者もいると考えられるが、安全性や利便性の問題が懸念されるため、作業現場において安全性が高く、かつ簡易、利便に作業を行うことができる配管穴開け用治具が求められている。
【先行技術文献】
【特許文献】
【０００８】
【特許文献１】特開２０００−１０４８８１号公報
【発明の概要】
【発明が解決しようとする課題】
【０００９】
本発明は、このような実情に鑑みて提案されたものであり、作業現場において簡易に、かつ高い安全性でもって、埋設配管の穴開け処理を行うことができる配管穴開け用治具及びその治具を用いた配管穴開け処理方法を提供することを目的とする。
【課題を解決するための手段】
【００１０】
（１）本発明の第１の発明は、円筒形状の配管の表面に穴開け処理を行うための配管穴開け用治具であって、断面略コの字状の溝部を有する一対のアングル受けと、前記アングル受けの溝部にスライド嵌合させる板状のスライド部と、該スライド部の板面から断面略Ｔ字状に立設された配管固定部とを有する一対のスライドアングルと、を備え、前記溝部が互いに向かい合うように重ね合させた前記一対のアングル受けに、その両端からそれぞれ前記スライドアングルのスライド部をスライド嵌合させ、スライド嵌合により対面した一対の前記配管固定部により穴開け処理対象の配管を挟持固定する、配管穴開け用治具である。
【００１１】
（２）本発明の第２の発明は、第１の発明において、前記アングル受けには、その略中央部の側面に、半円状の溝を有する凸状部が設けられており、前記一対のアングル受けを向かい合うように重ね合せたときに前記半円状の溝により形成される貫通孔に、配管穴開け用の針が差し込まれる、配管穴開け用治具である。
【００１２】
（３）本発明の第３の発明は、第１又は第２の発明において、前記スライドアングルのスライド部には、前記アングル受けに対するスライド方向に細長い貫通スリットが形成されている、配管穴開け用治具である。
【００１３】
（４）本発明の第４の発明は、第１乃至第３のいずれかの発明において、前記スライドアングルの配管固定部には、該スライドアングルのスライド方向に対して垂直な方向に沿って複数のネジ穴が形成されており、前記ネジ穴は前記一対のスライドアングルにより挟持固定される配管の外径に応じた高さ位置に形成されている、配管穴開け用治具である。
【００１４】
（５）本発明の第５の発明は、第１乃至第４のいずれかの発明に係る配管穴開け用治具を用いた配管に対する穴開け処理方法であって、穴開け処理対象の配管の表面に、弾性を有するシートを貼り付け、前記シートを貼り付けた配管を、前記配管穴開け用治具の一対の配管固定部により挟持して固定し、前記配管穴開け用治具の上部より、前記シートを介して前記配管の表面を穿刺する、配管穴開け処理方法である。
【発明の効果】
【００１５】
本発明に係る配管穴開け用治具及び配管穴開け処理方法によれば、その治具が、部品点数が少なく、しかも軽量である簡易な構成からなるものであるため、突発的に発見される作業現場のその場において、簡易な作業で、かつ高い安全性でもって埋設配管の穴開け処理を行うことができ、その配管の生死確認を的確に行うことができる。
【図面の簡単な説明】
【００１６】
【図１】配管穴開け用治具を分解して各構成を具体的に示す斜視図である。
【図２】配管穴開け用治具を組み立てた状態、すなわち使用時の状態を示す図であり、（Ａ）が正面図、（Ｂ１），（Ｂ２）が側面図、（Ｃ）が正面図、（Ｄ）が底面図である。
【図３】図２におけるＸ−Ｘ断面、Ｙ−Ｙ断面、Ｚ−Ｚ断面を示す図である。
【図４】配管穴開け用治具を用いた配管穴開け処理を適用して、作業現場で発見された埋設配管の撤去作業等を行う流れを示すフロー図である。
【発明を実施するための形態】
【００１７】
以下、本発明の具体的な実施形態（以下、「本実施の形態」という）について図面を参照しながら詳細に説明する。なお、本発明は、以下の実施形態に限定されるものではなく、本発明の要旨を変更しない範囲で種々の変更が可能である。
【００１８】
≪１．配管穴開け用治具の構成について≫
本実施の形態に係る配管穴開け用治具（以下、単に「治具」ともいう）は、土を掘るなどの作業を行っている現場において意図せず突発的に発見される配管（埋設配管）について、配管の表面に穴を開けて内部に流体等の残留物の存在を確認するための治具である。
【００１９】
図１は、本実施の形態に係る配管穴開け用治具を分解して各構成を具体的に示す斜視図である。また、図２は、配管穴開け用治具を組み立てた状態、すなわち使用時の状態を示す図であり、（Ａ）が正面図、（Ｂ１），（Ｂ２）が側面図、（Ｃ）が正面図、（Ｄ）が底面図である。なお、図２（Ａ）の正面図では、当該治具１により穴開け対象の配管Ｐを固定した状態を示している。
【００２０】
配管穴開け用治具１は、図１に示すように、断面略コの字状の溝部１１（１１ａ，１１ｂ）を有する一対のアングル受け１０（１０ａ，１０ｂ）と、断面略Ｔ字状に形成された一対のスライドアングル２０（２０ａ，２０ｂ）と、を備えている。スライドアングル２０は、アングル受け１０の溝部１１にスライド嵌合させる板状のスライド部２１と、そのスライド部２１の板面から断面略Ｔ字状に立設された配管固定部２２と、を有している。
【００２１】
なお、アングル受け１０及びスライドアングル２０の材質としては、特に限定されず、ステンレス等の金属製であっても、樹脂製であってもよい。
【００２２】
配管穴開け用治具１においては、図２に示すように、その溝部１１ａ，１１ｂが互いに向かい合うように重ね合させた一対のアングル受け１０ａ，１０ｂに、その両端からそれぞれスライドアングル２０ａ，２０ｂのスライド部２１ａ，２１ｂをスライド嵌合させることで、アングル受け１０ａ，１０ｂとスライドアングル２０ａ，２０ｂとが一体化する。そして、スライド嵌合により対面した一対の配管固定部２２ａ，２２ｂにより穴開け処理対象の配管Ｐが挟持固定されるようになる。
【００２３】
このような配管穴開け用治具１によれば、穴開け処理対象の配管Ｐが、一対のスライドアングル２０ａ，２０ｂにより側面から固定されるとともに、アングル受け１０ａ，１０ｂにより上方から固定されるようになるため、円筒形状であって表面が弧状の配管Ｐを安定的に固定化して穴開け処理を行うことができる。
【００２４】
［アングル受け］
配管穴開け用治具１は、一対のアングル受け１０（１０ａ，１０ｂ）を備える。
【００２５】
図１に示すように、アングル受け１０は、溝部１１を有して断面略コの字状の板状体である。なお、断面コの字状の板状体であるアングル受け１０において、「コの字」を形成する上部の板状体を「上部板状体」といい、下部の板状体を「下部板状体」という。アングル受け１０においては、一対のセットとして、それぞれのアングル受け１０ａ，１０ｂが、断面略コの字状の溝部１１ａ，１１ｂが互いに向かい合うように重ね合わされる。
【００２６】
アングル受け１０には、図１に示すように、その略中央部の側面に半円状の半円溝部１２が設けられている。この半円溝部１２は、一対のアングル受け１０ａ，１０ｂが互いに向かい合うように重ね合わされると、半円溝部１２ａ，１２ｂ同士により貫通孔１３が形成される（図２（Ｄ）参照）。なお、詳しくは後述するが、貫通孔１３には、配管Ｐの穴開け処理に用いられる針が差し込まれ、その貫通孔１３の下部に位置される配管Ｐの表面に所定の大きさの穴が開けられる。
【００２７】
また、半円溝部１２は、図１に示すように、アングル受け１０の板状体（上部板状体）の上面から上方に、下面から下方に、それぞれ突出する凸状部として構成されている。すなわち、半円状の溝（半円溝部１２）を有する凸状部が構成されている。このように、凸状の半円溝部１２であることにより、一対のアングル受け１０ａ，１０ｂが互いに向かい合うように重ね合わされることで形成される貫通孔１３が煙突様の円筒形状となり、その側面（図１中の矢印Ｓが指す箇所）にネジを切ることで、煙突様の貫通孔１３を有する凸状部にアングル受け固定ナット３０を嵌め込んで固定化することができる。
【００２８】
アングル受け１０には、その上部板状体に、少なくとも２つのネジ穴１４が形成されている。また、アングル受け１０の下部板状体にも、ネジ穴１４に対応する位置（垂直方向、水平方向のそれぞれで対応する位置）にネジ穴１５が形成されている。また、これらのネジ穴１４，１５は、後述するスライドアングル２０をアングル受け１０の溝部１１にスライド嵌合させたときに、スライドアングル２０のスライド部２１に形成されている細長いスリット（貫通スリット）２３に対応する位置に形成されている。
【００２９】
具体的に、このネジ穴１４には、例えば図２に示すような蝶ネジ４０がアングル受け１０の上部板状体の面から装入される。装入された蝶ネジ４０は、スライドアングル２０に形成された貫通スリット２３を貫通し、さらにアングル受け１０の下部板状体を貫通する。これにより、装入した蝶ネジ４０を介して、アングル受け１０とスライドアングル２０とが一体固定される。
【００３０】
［スライドアングル］
配管穴開け用治具１は、一対のスライドアングル２０（２０ａ，２０ｂ）を備える。
【００３１】
図１に示すように、スライドアングル２０は、板状のスライド部２１と、そのスライド部２１の板面から立設された配管固定部２２と、を有しており、スライド部２１と配管固定部２２とにより断面略Ｔ字状に形成されている。スライドアングル２０においては、板状のスライド部２１がアングル受け１０の溝部１１に装入されて水平方向にスライドすることで、アングル受け１０に嵌め合わされる。
【００３２】
スライドアングル２０のスライド部２１は、上述のように、板状体であり、アングル受け１０の溝部１１にスライド嵌合される。したがって、板状のスライド部２１の厚みは、アングル受け１０の断面略コの字状の溝部１１の幅（上部板状体と下部板状体との間隙）と略同じとなる。
【００３３】
また、スライド部２１には、アングル受け１０に対するスライド方向に細長い形状の貫通スリット２３が形成されている。この貫通スリット２３は、上述したように、スライドアングル２０をアングル受け１０の溝部１１にスライド嵌合したときに、アングル受け１０のネジ穴１４、１５に対応する位置に形成されている。このように、板状のスライド部２１に細長い形状の貫通スリット２３が形成されていることにより、アングル受け１０と一体固定することができるとともに、その貫通スリット２３が細長い形状であることにより、穴開け処理対象の配管の径（大きさ）がどのようなものであってもその大きさに応じて調整して固定することができる。
【００３４】
スライドアングル２０の配管固定部２２は、スライド部２１の板面から立設されて構成される板状体である。この配管固定部２２は、穴開け処理対象の配管を固定する部材である。すなわち、一対のアングル受け１０ａ，１０ｂに、その両端からそれぞれスライドアングル２０ａ，２０ｂのスライド部２１ａ，２１ｂをスライド嵌合させ、スライド嵌合によって対面することになった配管固定部２２ａ，２２ｂ同士により、穴開け処理対象の配管Ｐを挟持することによって固定する。
【００３５】
また、配管固定部２２には、スライドアングル２０のスライド方向に対して垂直な方向（高さ方向）に沿って、複数のネジ穴２４が形成されている。穴開け処理対象の配管Ｐを挟持固定するに際しては、その配管Ｐを一対の配管固定部２２ａ，２２ｂにより挟持させた後、配管固定部２２に形成されているネジ穴２４から例えば蝶ネジ５０を装入して配管Ｐを押圧することによって固定する。
【００３６】
例えば、図１、図２では、配管固定部２２に３つのネジ穴２４が形成されている例を示している。ここで、図１、図２に示すように、ネジ穴２４が形成されている近傍の配管固定部２２には、例えば、『１５Ａ，２０Ａ』、『２５Ａ』、『３２Ａ』のような表示を施すことができる。この文字表記は、一対の配管固定部２２ａ，２２ｂにより挟持固定される配管（穴開け処理対象の配管）Ｐの「外径の大きさ」に相当し、ＪＩＳ  Ｇ  ３４５９やＪＩＳ  Ｇ  ３４６８等に規定された外径表示に基づく。
【００３７】
したがって、例えば、穴開け処理対象の配管Ｐが外径３２Ａのものであった場合、『３２Ａ』と表示されているネジ穴２４に蝶ネジ５０を装入して配管Ｐを押圧することで、配管Ｐをその外径（最外径）の幅で的確に挟持固定することができ、安定的に固定化することができる。また、穴開け処理対象の配管Ｐの外径が不明である場合には、その配管Ｐの最外径で蝶ネジ５０を押圧できるネジ穴２４の位置を調べることで、配管Ｐを有効に挟持固定できるとともに、その配管Ｐの外径を確認することもできる。
【００３８】
以上のような構成を有する配管穴開け用治具１は、部品点数が少なく、しかも軽量で簡易な構成からなるものであって、掘削等の作業現場において突発的に発見された埋設配管に対し、その場において（いわゆるオンサイトで）、簡易にかつ高い安全性を備えつつ、一定以上の作業水準で埋設配管の穴開け処理を行うことができ、その配管の生死確認を的確に行うことができる。
【００３９】
≪２．配管穴開け用治具を用いた配管穴開け操作について≫
図３は、図２における治具１のＸ−Ｘ断面、Ｙ−Ｙ断面、Ｚ−Ｚ断面を示す図であり、Ｘ−Ｘ断面の図では、挟持固定した配管Ｐに対して針６０Ｎを有する電動ドリル６０等の工具により、配管Ｐの表面に穴開け処理を行っている状態を示している。
【００４０】
また、図４は、上述した配管穴開け用治具１を用いた配管穴開け処理を適用して、作業現場で発見された埋設配管の撤去作業等を行う流れを示すフロー図である。以下、図３、図４を参照して、配管穴開け用治具１を用いた穴開け処理の流れを具体的に説明する。
【００４１】
はじめに、土砂等の採掘を行う現場において、採掘作業中に地中内に埋設された配管（不明配管）Ｐが露出して発見されると（ステップＳＰ１）、その埋設配管Ｐに対する表面処理を施す（ステップＳＰ２）。表面処理は、例えば、配管Ｐの表面に付着した泥や錆、汚れ等を除去する処理であり、水や公知の洗浄液を用いた洗浄処理が挙げられる。
【００４２】
続いて、洗浄等の表面処理が施された配管Ｐの表面にパッキンシート７０を被せるように貼り付ける（ステップＳＰ３）。パッキンシート７０の貼り付け位置は、図３に示すように、弧状の表面を有する配管Ｐの上面であって、治具１を構成するアングル受け１０と接触する箇所を少なくとも有する面に貼り付ける。
【００４３】
なお、パッキンシート７０としては、特に限定されないが、例えばゴムのような弾性体であることが好ましい。ゴムのような弾性体からなるパッキンシート７０を用いることで、密閉性を高めてシール作用を奏させることができ、配管Ｐの内部に流体が残留している場合でも穴開け処理により開けられた穴からの流体の吹き出しを防ぐことができる。また、パッキンシート７０を配管Ｐの表面に貼り付ける際には、そのパッキンシート７０の配管接触面に両面テープ等の粘着剤を塗布して貼り付けることが好ましい。
【００４４】
続いて、穴開け処理対象の配管Ｐを固定する配管穴開け用治具１を組み立てる（ステップＳＰ４）。具体的には、先ず、一対のアングル受け１０ａ，１０ｂを、断面略コの字状の溝部１１ａ，１１ｂが互いに向かい合うように重ね合わせ、アングル受け１０ａ，１０ｂの上部板状体中央部に形成された半円溝部１２ａ，１２ｂを有する凸状部に、アングル受け固定ナット３０を嵌めて固定する。次に、固定されたアングル受け１０に、その両端からそれぞれスライドアングル２０ａ，２０ｂのスライド部２１ａ，２１ｂをスライド嵌合させる。これにより、配管穴開け用治具１の組み立てが終了する。
【００４５】
続いて、組み立てた配管穴開け用治具１により配管Ｐを固定する（ステップＳＰ５）。具体的には、先ず、アングル受け１０にスライドアングル２０ａ，２０ｂをスライド嵌合して組み立てた治具１において、配管Ｐの外径に合うように、スライドアングル２０ａ，２０ｂの配管固定部２２ａ，２２ｂを水平方向にさらにスライドさせ、配管Ｐを挟持させるようにする。次に、配管固定部２２ａ，２２ｂにより配管Ｐをその外径で挟持した状態で、アングル受け１０ａ，１０ｂにそれぞれ２箇所ずつ（合計４箇所）で形成されたネジ穴１４に蝶ネジ４０を装入し、アングル受け１０とスライドアングル２０とを一体固定する。なお、ネジ穴１４に装入された蝶ネジ４０は、スライドアングル２０のスライド部２１に形成されたスリット２３を貫通し、アングル受け１０の下部板状体に形成されたネジ穴１５を通る。次に、配管固定部２２ａ，２２ｂに形成されているネジ穴２４のうちの配管Ｐの外径に合った高さ位置のネジ穴２４に、蝶ネジ５０を装入して配管Ｐを押圧する。このとき、配管Ｐの上面、パッキンシート７０が貼り付けられている箇所と治具１（治具１のアングル受け１０）とをしっかりと密着させた状態で固定する。このような操作により、配管Ｐと配管穴開け用治具１とが固定される。
【００４６】
続いて、配管穴開け用治具１により固定した配管Ｐの表面に穴を開ける（ステップＳＰ６）。穴開け操作は、図３のＸ−Ｘ断面図に示すように、配管穴開け用治具１により固定した配管Ｐの上部から、電動ドリル６０の先端に設けられた針６０Ｎを差し込むことによって穿刺して行う。より具体的に、配管穴開け用治具１のアングル受け１０に形成された貫通孔１３に、電動ドリル６０の先端に設けられた針６０Ｎを差し込み、貫通した先にある配管Ｐの表面に穴を開ける。このとき、配管Ｐの表面に貼り付けたパッキンシート７０を介して穴を開ける。このように、配管穴開け用治具１を用い、配管Ｐを固定した状態で穴開け処理を行うことで、配管保持の安定性を高めて操作を行うことができ穴開け損じ等を防ぐことができる。また、配管穴開け用治具１により安定的に固定されるとともに、パッキンシート７０を介して穴開け操作を行うことで、配管Ｐの内部からの流体吹き出しを防ぐことができる。
【００４７】
続いて、穴開けを行った配管Ｐの内部に流体が存在するか否かの確認を行う（ステップＳＰ７）。流体の存在確認は、例えば、配管Ｐの表面に開けられた穴に採取ノズルを挿入して内部残留物の採取を行うことによって確認できる。また、その表面に開けられた穴に内視鏡カメラを挿入して配管内部を映像観察することによって確認できる。
【００４８】
そして、配管Ｐの内部の流体存在確認操作により、流体が存在していた場合には、いわゆる「生きている配管」として、迂回検討や種々の対策を講じる（ステップＳＰ８）。一方で、配管Ｐの内部に流体が存在していなかった場合には、いわゆる「死んでいる配管」として、その埋設配管Ｐの撤去作業を検討、実施する（ステップＳＰ９）。
【００４９】
以上のように、配管穴開け用治具１を用いることにより、作業現場において突発的に発見される埋設配管に対し、その場において（オンサイト）、簡易にかつ高い安全性を備えつつ、一定以上の作業水準で埋設配管の生死確認を行うことができる。そして、その後の撤去作業等を効率的にかつ効果的に実行することができる。
【符号の説明】
【００５０】
１    配管穴開け用治具
１０，１０ａ，１０ｂ    アングル受け
１１，１１ａ，１１ｂ    溝部
１２，１２ａ，１２ｂ    半円溝部
１３    貫通孔
１４、１５    ネジ穴
２０，２０ａ，２０ｂ    スライドアングル
２１，２１ａ，２１ｂ    スライド部
２２，２２ａ，２２ｂ    配管固定部
２３    スリット（貫通スリット）
２４    ネジ穴
３０    固定ナット（アングル受け固定ナット）
４０，５０    蝶ネジ
６０    電動ドリル
６０Ｎ    針
７０    パッキンシート
【図１】
2018173143.tif 000003
【図２】
2018173143.tif 000004
【図３】
2018173143.tif 000005
【図４】
2018173143.tif 000006